(57)【要約】【課題】従来の二重床で問題となっていた床からの高さや、床仕上げ材の水平出し・高さ調整、根太の強度などを一挙に解決した低床二重床を提供する。【解決手段】低床二重床Ａは、設置スペースの四辺に沿ってそれぞれ設置され、四隅で互いに接続され、その内周面に際根太１ａ〜４ａがそれぞれ設置された根太１〜４及び各根太１〜４の両端部下面に設置された根太支持脚１０にて構成された台輪Ｂと、根太１〜４に囲まれた設置スペースに所定間隔で立設され、高さ調整可能な下地支持脚３０と、根太１〜４に囲まれた設置スペースにおいて、際根太１ａ〜４ａ及び下地支持脚３０上に張設された床下地材４０と、前記床下地材４０に敷設された床仕上げ材４５とで構成される。際根太１ａ〜４ａは、根太１〜４とは別体で、対となる根太１〜４の上面１ｂ〜４ｂから、少なくとも根太１〜４に囲まれた前記設置スペースに施工される床下地材４０及び床仕上げ材４５の厚みの和を差し引いた位置にて根太１〜４の側面にそれぞれ取着されるようになっている。【選択図】図１
2018053513.tif 000002
【特許請求の範囲】
【請求項１】
設置スペースの四辺に沿ってそれぞれ設置され、四隅で互いに接続され、その内周面に際根太がそれぞれ設置された根太及び前記各根太の両端部下面にそれぞれ設置され、根太の高さを調整する高さ調整可能な根太支持脚にて構成された台輪と、
根太に囲まれた設置スペースに所定間隔で立設され、高さ調整可能な下地支持脚と、
根太に囲まれた設置スペースにおいて、際根太及び下地支持脚上に張設された床下地材と、
前記床下地材に敷設された床仕上げ材とで構成される二重床において、
際根太は、根太とは別体で、対となる根太の上面から、少なくとも根太に囲まれた前記設置スペースに施工される床下地材及び床仕上げ材の厚みの和を差し引いた位置にて根太の側面にそれぞれ取着されるようになっている、ことを特徴とする低床二重床。
【請求項２】
両端部下面に高さ調整可能な根太支持脚が設置された根太と、根太とは別体の際根太と、床下地材及び床仕上げ材とを用いて構築する低床二重床の施工方法で、
根太の上面から、少なくとも施工される床下地材及び床仕上げ材の厚みの和を差し引いた位置にて、対となる際根太を根太の一方の側面に取着し、
際根太を設置スペースの内側にして、第１の根太を前記設置スペースの一辺に沿って設置し、
第１の根太の両端の根太支持脚を操作して、第１の根太の上面の高さが床面からの所定高さで、且つ、水平となるように調整し、
次に、際根太を設置スペースの内側にして第２及び第３の根太を、設置スペースの前記一辺に隣接する辺に沿ってそれぞれ設置し、
第２及び第３の根太の両端の根太支持脚を操作して、第２及び第３の根太の際根太の上面が第１の根太の際根太の上面に合致させると共に前記第１の根太の際根太の上面を基準として、第２及び第３の根太の際根太の上面が水平となるように調整し、
前記第２及び第３の根太の開放端側で、際根太を設置スペースの内側にして第４の根太を設置スペースの残る一辺に沿って設置し、
第４の根太の両端の根太支持脚を操作して、第４の根太の際根太の両端の上面が、第２及び第３の根太の際根太の上面に合致するように調整し、
第１〜第４の根太で囲まれた領域において、床下地材を際根太上に張設し、
前記床下地材上に床仕上げ材を張設することを特徴とする低床二重床の施工方法。
【請求項３】
請求項２に記載の低床二重床の施工方法において、高さ調整可能な下地支持脚を追加し、
設置スペースの四辺に根太を設置した後、第１〜第４の根太で囲まれた領域に床下地支持脚を所定間隔で設置し、
第１〜第４の根太で囲まれた領域において、床下地材を際根太と床下地支持脚の上に張設することを特徴とする低床二重床の施工方法。
【発明の詳細な説明】
【技術分野】
【０００１】
本発明は、不陸のある広いスペースの床面でも迅速に構築することができる低床二重床とその効率的な施工方法に関する。
【背景技術】
【０００２】
集合住宅やオフィスビルなどの多くの多層階建造物のフリースペースに、簡単な囲いをした欧米風のオープンな雰囲気を取り入れたおしゃれな仮設或いは常設の談話スペースや喫茶スペースを設けることが最近流行している。そのようなスペースの床は外観を損なう配線コードや設備配管等を床下に這わせたり、階下への遮音のために、近年、二重床構造のものが採用されている。
【０００３】
この種の二重床として、従来は二重床の上に乗る全負荷の数倍の荷重に耐え得る太さの根太を長方形に組み合せ、四隅下面それぞれにねじボルトによる高さ調整可能な脚部が設置された台輪を設置スペースに持ち込み、床面の不陸に合わせて脚部を伸縮させて、四周の各根太上面の水平出しを行い、更に台輪の内側にねじ構造で伸縮可能な支持脚を所定間隔で設置し、その上に床下地材を張設し、支持脚の高さを調節して床下地材の水平を出し、最後に床下地材上に床仕上げ材を張設するという工法が取られていた。
【０００４】
設置スペースが小さい場合は細い根太だけの台輪だけで足るが、設置スペースが広くなると、台輪を構成する根太は、設置スペースをカバーするだけの長スパンが必要となり、従ってその曲げ応力に耐えられるような太いものが使用されている。場合によっては、更に根太間に補助桟が取り付けられる。通常、補助桟には脚部の取り付けがなく、浮いた状態で、高さ調整は両端に設けた脚部で行われる。
上記台輪を用いた二重床では、上記のように強度の面から根太の太さをかなり太くする必要があるため、根太の上面に床下地材と床仕上げ材を張設すると、床下地材と床仕上げ材の厚みが太い根太に加算されるため、床面から二重床の床仕上げ材の踏み面（上面）までの高さが高くなり過ぎて二重床の上り下りに支障をきたすという問題点や、その反作用として二重床の高さだけ天井が低くなり、設置スペースにおける圧迫感が増大するという点が指摘されていた。また、大きな台輪をフリースペースに持ち込むのも非常に大きな手間であった。
【０００５】
そこで、設置スペースが小さい場合は勿論、設置スペースが広い場合でも手軽で二重床の踏み面高さを低く出来る二重床のアイデアが提案されている（特許文献１）。この二重床に用いられる根太ユニットは、その下面に複数個所の凹部が所定間隔をあけて設けられている長尺の根太と、複数の凹部の設置による強度不足解消のため、根太の両側面それぞれに取り付けられる補強材と、該凹部にそのねじ部が収納されるように設けられた接床台座付きのねじ式支持ボルトとで構成されている。
支持ボルトの上面にはドライバ挿入溝が形成され、支持ボルトを回転させることにより根太を上下動させることができる。
【０００６】
そして、この二重床の構築には根太ユニットと別に用意した支持脚を用いることになるのであるが、まず、根太ユニットを部屋の内周縁に沿って配設し、支持ボルトを回動操作して各根太ユニットの上面の水平を取り、且つ各根太ユニットの高さを揃え、接床台座を床上に接着固着し、続いて四周を根太ユニットに囲まれた内側領域に支持脚を所定間隔で設置して床からの高さを根太の高さに合わせるように微調整し、床下地材を背の低い根太の上面、支持脚の上面に張りわたし、面一に配置すると共に床下地材の上面の水平を取り、然る後、セルフタッピングスクリュを床下地材の上面側から支持脚に打ち込み、床下地材を支持脚に固定し、最後に、床下地材の上に床仕上げ材を敷設する。
【０００７】
根太ユニットの高さは凹部を設けて支持ボルトの一部を凹部内に入れ込むことで低くすることが出来るが、強度不足解消のために両側面の補強材が不可欠となるし、仮に根太の両側面全面に補強材を張設したとしても上記理由から根太及び補強材の高さが取れないので、横幅の大きな補強材が必要となる。
また、床下地材や床仕上げ材の厚みは様々で、これらを使用する現場に合わせて根太ユニットや支持脚の高さ決める必要があり、床仕上げ材の張設後、支持ボルトや支持脚を大きく動かす必要があり、水平出し・高さ揃え調整に多大の時間を要することが問題となっていた。
【先行技術文献】
【特許文献】
【０００８】
【特許文献１】特開２０１４−２１１０５５号公報
【発明の概要】
【発明が解決しようとする課題】
【０００９】
本発明は、従来の二重床において、床からの高さの問題や、床仕上げ材の張設後の支持ボルト及び支持脚を操作しての床仕上げ材の水平出し・高さ調整、根太の強度の問題などを一挙に解決した低床二重床とその効率的な施工方法を提供することを技術課題とするものである。
【課題を解決するための手段】
【００１０】
請求項１に記載の低床二重床Ａは、
設置スペースの四辺に沿ってそれぞれ設置され、四隅で互いに接続され、その内周面に際根太１ａ〜４ａがそれぞれ設置された根太１〜４及び前記各根太１（２〜４）の両端部下面にそれぞれ設置され、根太１〜４の高さを調整する高さ調整可能な根太支持脚１０にて構成された台輪Ｂと、
根太１〜４に囲まれた設置スペースに所定間隔で立設され、高さ調整可能な下地支持脚３０と、
根太１〜４に囲まれた設置スペースにおいて、際根太１ａ〜４ａ及び下地支持脚３０上に張設された床下地材４０と、
前記床下地材４０に敷設された床仕上げ材４５とで構成される二重床Ａにおいて、
際根太１ａ〜４ａは、根太１〜４とは別体で、対となる根太１〜４の上面１ｂ〜４ｂから、少なくとも根太１〜４に囲まれた前記設置スペースに施工される床下地材４０及び床仕上げ材４５の厚みの和を差し引いた位置にて根太１〜４の側面にそれぞれ取着されるようになっている、ことを特徴とする。
【００１１】
際根太１ａ〜４ａは、上記のような位置に取着されるようになっているので、各施工現場で施工される床下地材４０及び床仕上げ材４５に合わせて、対となる根太１〜４の（内面になる側の）側面に取着することが出来る。換言すれば、低床二重床Ａの構築に当たって、各施工現場で施工される床下地材４０及び床仕上げ材４５の厚みに関係なく、補強材のようなものを必要としない太い根太１〜４を使用することが出来る。従って、ロングスパンの根太１〜４を必要とする広い設置スペースでも施工可能になる。
【００１２】
請求項２に記載の低床二重床Ａの施工方法は、狭い設置スペースに二重床Ａを構築する場合で、
両端部下面に高さ調整可能な根太支持脚１０が設置された根太１〜４と、根太１〜４とは別体の際根太１ａ〜４ａと、床下地材４０及び床仕上げ材４５とを用いて構築する低床二重床Ａの施工方法で、
根太１〜４の上面１ｂ〜４ｂから、少なくとも施工される床下地材４０及び床仕上げ材４５の厚みの和を差し引いた位置にて、対となる際根太１ａ〜４ａを根太１〜４の一方の側面に取着し、
際根太１ａを設置スペースの内側にして、第１の根太１を前記設置スペースの一辺に沿って設置し、
第１の根太１の両端の根太支持脚１０を操作して、第１の根太１の上面１ｂの高さが床面Ｇからの所定高さで、且つ、水平となるように調整し、
次に、際根太２ａ・３ａを設置スペースの内側にして第２及び第３の根太２・３を、設置スペースの前記一辺に隣接する辺に沿ってそれぞれ設置し、
第２及び第３の根太２・３の両端の根太支持脚１０を操作して、第２及び第３の根太２・３の際根太２ａ・３ａの上面が第１の根太１の際根太１ａの上面に合致させると共に前記第１の根太１の際根太１ａの上面を基準として、第２及び第３の根太２・３の際根太２ａ・３ａの上面が水平となるように調整し、
前記第２及び第３の根太２・３の開放端側で、際根太４ａを設置スペースの内側にして第４の根太４を設置スペースの残る一辺に沿って設置し、
第４の根太４の両端の根太支持脚１０を操作して、第４の根太４の際根太４ａの両端の上面が、第２及び第３の根太２・３の際根太２ａ・３ａの上面に合致するように調整し、
第１〜第４の根太１〜４で囲まれた領域において、床下地材４０を際根太１ａ〜４ａ上に張設し、
前記床下地材４０上に床仕上げ材４５を張設することを特徴とする。
【００１３】
請求項３に記載の低床二重床Ａの施工方法は、広い設置スペースに二重床Ａを構築する場合で、
請求項２に記載の低床二重床Ａの施工方法において、高さ調整可能な下地支持脚３０を追加し、
設置スペースの四辺に根太１〜４を設置した後、第１〜第４の根太１〜４で囲まれた領域に床下地支持脚３０を所定間隔で設置し、
第１〜第４の根太１〜４で囲まれた領域において、床下地材４０を際根太１ａ〜４ａと床下地支持脚３０の上に張設することを特徴とする。
【発明の効果】
【００１４】
本発明は、「際根太１ａ〜４ａ」を使用しているので、床下地材４０及び床仕上げ材４５を第１〜第４の根太１〜４で囲まれた領域に張設することが出来る。それ故、少なくとも床下地材４０及び床仕上げ材４５の厚みの和だけ太い根太１〜４を使用することが出来、低床二重床Ａであるにも拘わらず根太１〜４の強度を高めることが出来る。換言すれば、補強材のようなものを要しない太い根太１〜４で広い設置スペースにも対応することが出来る。
【図面の簡単な説明】
【００１５】
【図１】本発明の低床二重床の施工例の斜視図である。
【図２】図１の施工部分の角部の平面図である。
【図３】本発明の根太を方形に組み立てた台輪の斜視図である。
【図４】図３の正面図である。
【図５】図２の施工部分の角部の拡大断面図である。
【図６】本発明の根太の端部の根太支持脚の取付状態を示す拡大断面図である。
【図７】本発明に使用する床下地支持脚の取付状態を示す拡大断面図である。
【発明を実施するための形態】
【００１６】
以下、本発明を図示実施例に従って詳述する。図１に示す実施形態において、二重床Ａが構築される床面Ｇは、若干の凹凸や傾斜が存在するコンクリートスラブからなる基礎床にＰタイル或いは最近流行している平石板のような床材が張設されている。従って、床材の上面もこの影響を受けて凹凸や傾斜が存在する。平石板のような床材を用いた場合は、床材の表面自体にもある程度の凹凸があり、施工床面Ｇの凹凸や傾斜は避けられない。
【００１７】
本発明の低床二重床Ａは、狭い設置スペースでは、根太１〜４、際根太１ａ〜４ａ、根太支持脚１０、床下地材４０、及び床仕上げ材４５を組み立てて低床二重床Ａを構築し、広い設置スペースでは、これに下地支持脚３０が加わる。
まず、広い設置スペースにおける低床二重床Ａに付いて説明する。これより簡単な構造の狭い設置スペースにおける低床二重床Ａは図示していないので、前者の説明を後者の説明として援用し、異なる部分のみを重点的に説明する。
【００１８】
根太１〜４は、図１から図６に示すように、例えば、幅９０ｍｍ、高さ９０ｍｍの無垢の角柱や、単板積層材の角柱により形成され、ロングスパンの場合、長辺側は長さ４，０００〜７，０００ｍｍ、短辺側は長さ２，０００〜４，０００ｍｍのものが使用される。根太１〜４の高さは、少なくとも床下地材４０、床仕上げ材４５の厚み及び際根太１ａ〜４ａの高さの和より大である。
この根太１〜４は、図３及び図６に示すように、その両側部下面に根太支持脚１０のねじ部１２が収納される収納孔１４が穿設されている。そして、根太１〜４の両端部には、上面１ｂ〜４ｂから収納孔１４に至る調整孔６が穿設されている。
【００１９】
際根太１ａ〜４ａは、根太１〜４とは別体に用意されて対で用いられ、同様に、幅３０ｍｍ、高さ４０ｍｍの無垢の角柱や、単板積層材の角柱により形成されている。
【００２０】
根太支持脚１０は、鍔部１２ｃより上側にて外周面に雄螺子が刻設されたねじ部１２、鍔部１２ｃより下側にてねじ部１２を回転孔１１ａにて回転可能に支承する金属又は硬質樹脂製の台座１１、台座１１の下面に取り付けられ、床仕上げ材４５からの衝撃を減衰させて床面Ｇへの振動伝達を防止し、遮音性や衝撃緩和性が高める振動吸収性材質（例えば、軟質ゴム）の緩衝座１１ｅ、ねじ部１２に螺装されたナット部材１３とで構成され、ナット部材１３の上面には雌ネジ孔が貫通する凸部１３ａが突設され、根太１〜４の両端の収納孔１４に圧入されてビス止めされている。なお、ねじ部１２下端には抜け止め用の止め輪１１ｂが装着され、上端面にはドライバー溝１２ｄが刻設されている。
【００２１】
下地支持脚３０は、根太支持脚１０と同様の構造で、図７に示すように、ボルト脚部３２、支持台座３１、支持用ナット部３３及び支持板部３４とで構成されている。
金属又は硬質樹脂製の支持台座３１には上下に貫通する回転孔３１ａが形成されており、ボルト脚部３２の非ねじ部分が回転可能に挿通され、該非ねじ部分の鍔部３２ｃが支持台座３１の上面に突き当たっている。非ねじ部分の下端（回転孔３１ａの下方突出部分）には抜け止め用の止め輪３２ｂが嵌め込まれている。
ボルト脚部３２は、金属又は硬質樹脂製で、その上半分には雄ねじ部３２ａが刻設され、上端面にはドライバー溝３２ｄが形成されている。
支持用ナット部３３も金属又は硬質樹脂製で、その中心に雌ネジ孔が刻設されており、上端部全周に外鍔部３３ａが突設されている。上記ボルト脚部３２の雄ねじ部３２ａは、支持用ナット部３３の雌ネジ孔に昇降自在に螺装されている。
そして、外鍔部３３ａには木質製の支持板部３４が固着されており、支持板部３４の雌ネジ孔に一致する部分にはドライバー挿入用の通孔が穿設されている。
【００２２】
ボルト脚部３２の下面と床面Ｇとの間に、低床二重床Ａの中央部分（根太１〜４に囲まれた領域）からの振動を吸収し易くするために、ゴム座のような振動吸収座３１ｅが必要に応じて敷設されている。
【００２３】
床下地材４０は、例えば、長方形のパーティクルボード、或いは合板又はＯＳＢ合板（ＯＳＢ：Ｏｒｉｅｎｔｅｄ  Ｓｔｒａｎｄ  Ｂｏａｒｄ，配向性ストランドボードともいう）などにより構成される。厚みＴは様々で、合板では１２、１５、１９、２１、２４、３０ｍｍのものがある。サイズも様々で１ｍ前後×２ｍ前後である。
【００２４】
床仕上げ材４５は、図１に示す例ではフローリングパネルが使用され、その側部に設けた実を相互に組み合わせた状態で床下地材４０の上に敷設される。最終的には、目立たないような釘や接着剤で固定される。
【００２５】
上記部材を使用して低床二重床Ａの構築手順の一例を説明する。根太１〜４は長方形又は正方形の設置スペースの１辺に合わせて予め切断され、その両端部下面には根太支持脚１０が取り付けられている。
まず、当該現場で使用される床下地材４０と床仕上げ材４５の厚みＴ・Ｗをそれぞれ測定或いはカタログなどで調べる。
次に、用意された根太１〜４の一方の側面だけに、対となる際根太１ａ〜４ａをビスのような際根太固定部材５にて固定するのであるが、際根太固定部材５の固定位置は、根太１〜４の上面１ｂ〜４ｂから前記厚みの和（Ｔ＋Ｗ）に余裕２〜３ｍｍ（この部分を図５中、符号Ｓで示す。）を加えた寸法だけ下面側に下がった位置に固定される。これにより、根太１〜４の一方の側面だけに固定された際根太１ａ〜４ａの上面が施工基準となる。
【００２６】
このように際根太１ａ〜４ａを所定位置に装着した根太１〜４の内の１つの根太１を設置スペースの１辺に沿って配置する。際根太１ａは設置スペースの内側になるように配置される。
床面Ｇは既述のように凹凸があるので、根太１を設置した１辺にも当然凹凸があり、設置された根太１も凹凸に合わせて傾いている。そこで、ドライバーを調整孔６に挿入し、ドライバー溝１２ｄでねじ部１２を回転させることにより、設置された根太１の一方の端部の根太支持脚１０を上下操作して、該一方の端部における根太１の上面１ｂ（或いは際根太１ａの上面）の高さを、予定している低床二重床の根太の上面（或いは際根太の上面）の高さに合わせる。
【００２７】
続いて、例えば水準器のような器具を該根太１の上面１ｂ（或いは際根太１ａの上面）に乗せて他の端部の根太支持脚１０を同様に操作して、該根太１の水準を出す。これにより該根太１の上面１ｂ（或いは際根太１ａの上面）は、予定している低床二重床の根太の上面（或いは際根太の上面）の高さになる。
【００２８】
次に、第１の根太１を配置した設置スペースの１辺に隣接する２辺（長方形の場合は直交する２辺）に対応する第２・３の根太２・３を残りの内から選択し、それぞれを対応する辺に配置する。
第１の根太１の端部に接する、第２・３の根太２・３の端部の上面２ｂ・３ｂ（或いは際根太２ａ・３ａの上面）が第１の根太１の前記端部の上面１ｂ（際根太１ａの上面）に合致するように当該端部の根太支持脚１０を同様に操作する。
然る後、同様に例えば水準器のような器具を該第２・３の根太２・３の上面２ｂ・３ｂ（或いは際根太２ａ・３ａの上面）に乗せて他の端部の根太支持脚１０を同様に操作し、該根太２・３の水準を出す。第２・３の根太２・３の上面２ｂ・３ｂ（或いは際根太２ａ・３ａの上面）は第１の根太１の上面１ｂ（或いは際根太１ａの上面）に揃うことになる。
【００２９】
最後に残る１本の根太４を第２・３の根太２・３のフリーとなっている端部の間に配置し、端部同士を接する。そして、第４の根太４の両端の根太支持脚１０をそれぞれ同様に操作して、第２・３の根太２・３のフリー側であった端部の上面２ｂ・３ｂ（或いは際根太２ａ・３ａの上面）に第４の根太４の端部の上面４ｂ（或いは際根太４ａの上面）を合致させる。これにより設置スペースの四辺に沿って根太１〜４が配置される。
【００３０】
根太１〜４の当接端の接続は、カスガイのようなコ字形の連結金具２０を、前記当接端を跨ぐように打ち込んで行われる。連結金具２０による根太１〜４同士の接続は、第１の根太１に対して第２・３の根太２・３の調整が終わった時点、第２・３の根太２・３に対して第４の根太４の調整が終わった時点で順次接続してもよいし、４本の根太１〜４の調整が終わった段階で接続してもよい。
また、カスガイのようなコ字形の連結金具２０の代わりに接着剤による接合、或いは図示しないが通しボルト・ナットのような連結金具を用いても可能である。
４本の根太１〜４の接合終了により、１個の長方形（或いは、正方形）の台輪Ｂが現場施工で完成する。この台輪Ｂは４隅において、床面Ｇの凹凸に対応して調整された２個づつの根太支持脚１０にて支えられており、ガタガタすることはない。
【００３１】
続いて、台輪Ｂの内側（根太１〜４に囲まれた設置スペース）にて、所定間隔で下地支持脚３０を立設する。そして図示していないが、下地支持脚３０の設置位置を通過するように、際根太１ａ・４ａ（２ａ・３ａ）の上面に取り付けた基準糸（図示せず）を対向する際根太１ａ・４ａ（２ａ・３ａ）間に張り渡し、当該基準糸の交点の直下の地点に下地支持脚３０を立設し、ボルト脚部３２を操作して高さを予め調節する。前記基準糸の高さが際根太１ａの基準高さに一致するので、前記基準糸の高さを基準に下地支持脚３０の高さ調整を行えば、正確な高さ調整が事前に実施できる。高さ調整の終わった下地支持脚３０は必要に応じて床面Ｇに接着固定される。
【００３２】
下地支持脚３０の設置が終了すると、第１〜第４の根太１〜４で囲まれた領域において、床下地材４０を際根太１ａ〜４ａと床下地支持脚３０の上に張設する。隣接する床下地材４０のコーナー部分に下地支持脚３０が位置するので、当該部分の実は切除され、図２に示すようにコーナー部分以外の部分で実結合された状態で上記領域に張設される。
この時点で、上記のように高さ調整がほぼ終了しているので、張設された床下地材４０の水平はほぼ出ているものと考えられるが、最終的に、水準器のような器具を使用しつつ前記コーナー孔４０ｓにドライバーを挿入してボルト脚部３２のドライバー溝３２ｄにてボルト脚部３２を回し、支持用ナット部３３を僅かに上下させて床下地材４０の水平を正確に出す。
このようにして床下地材４０の張設が終了すると、床下地支持脚３０の支持板部３４に床下地材４０からビスのような下地固定部材４１が打ち込まれて固定される。
最後に、敷設された下地固定部材４１上に床仕上げ材４５が張設され、目立たない位置で釘固定或いは接着により下地固定部材４１上に固定される。床仕上げ材４５は、第１〜第４の根太１〜４で囲まれた領域で施工されるので、床仕上げ材４５の周囲には余裕分Ｓが高くなった状態で根太１〜４が露出する。
【００３３】
図１は、上記のような低床二重床Ａを複数台並べて設置し、隣接した低床二重床Ａの間に柱５０を有するフレームＣを設置した例である。
以上のように、１本の根太１（第１の根太１）を基準にして他の根太２〜４を組み立て、且つ、第１の根太１の際根太１ａの上面を基準面として内側の下地支持脚３０を順次施工して行くので、１回の調整で高さと水平を取ることが出来、少しずつ調整を繰り返す必要のあった従来の調整に比べて格段に構築時間を短縮することが出来た。
【００３４】
なお、上記の場合は前記基準糸を使用した場合を示したが、基準糸を使用せず、設置スペースの床面Ｇに下地支持脚３０の立設位置を墨入れにて予めマークしておき、その位置に下地支持脚３０を立設・固着した後、上記のように床下地材４０を張設し、ドライバーで上記のように下地支持脚３０の高さを上下させて水平を出すようにしてもよい。
【００３５】
次に、狭い設置スペースでの低床二重床の施工であるが、この場合は、下地支持脚３０を設けることなく、対向する際根太１ａ・４ａ（２ａ・３ａ）間に床下地材４０及び床仕上げ材４５を敷設することになる。それ以外は、上記の広い設置スペースでの低床二重床の施工と同じである。
【符号の説明】
【００３６】
Ａ：低床二重床、Ｂ：台輪、Ｃ：フレーム、Ｇ：床面、Ｓ：余裕高さ、Ｗ：床仕上げ材の厚み、Ｔ：床下地材の厚み、１〜４：根太、１ａ〜４ａ：際根太、１ｂ〜４ｂ：上面、５：際根太固定部材、６：調整孔、１０：根太支持脚、１１：台座、１１ａ：回転孔、１１ｂ：止め輪、１１ｅ：緩衝座、１２：ねじ部、１２ｃ：鍔部、１２ｄ：ドライバー溝、１３：ナット部材、１３ａ：凸部、１４：収納孔、２０：連結金具、３０：下地支持脚、３１：支持台座、３１ａ：回転孔、３１ｅ：振動吸収座、３２：ボルト脚部、３２ａ：雄ねじ部、３２ｂ：止め輪、３２ｃ：鍔部、３２ｄ：ドライバー溝、３３：支持用ナット部、３３ａ：外鍔部、３４：支持板部、４０：床下地材、４０ｓ：コーナー孔、４１：下地固定部材、４５：床仕上げ材、５０：柱。
【図１】
2018053513.tif 000003
【図２】
2018053513.tif 000004
【図３】
2018053513.tif 000005
【図４】
2018053513.tif 000006
【図５】
2018053513.tif 000007
【図６】
2018053513.tif 000008
【図７】
2018053513.tif 000009